(57)【特許請求の範囲】
【請求項１】
遊技盤には、図柄遊技の開始のきっかけとなる始動入賞口と、前記図柄遊技を表示するための表示画面を有する図柄表示装置と、前記図柄遊技の結果に応じて遊技者に有利な状況を与える可変入賞装置と、前記表示画面の周囲に配置されるとともに、該表示画面よりも前方側に突出する突出部を有した装飾部材とが設けられ、前記突出部には、発光源とスリットと該スリットを覆う透光性のカバー部材とを有してライン状の光を放つ発光表示部が設けられた遊技機において、
前記スリット及び前記カバー部材を前記突出部の前面部と、前記突出部における前記表示画面側の側面部にそれぞれ設けることで、前記発光表示部のライン状の光を、前記前面部から前記側面部にかけて延在するものとし、前記側面部で前記スリットを覆う前記カバー部材には、前記発光源から前記スリットを経由した光を前記側面部における前記スリットの延在方向と交差する方向へ拡散する拡散レンズ部を形成したことを特徴とする遊技機。
【請求項２】
前記前面部で前記スリットを覆う前記カバー部材には前記発光源から前記スリットを経由した光を前記前面部における前記スリットの延在方向へ拡散する第２の拡散レンズ部を形成したことを特徴とする請求項１に記載の遊技機。
【発明の詳細な説明】
【技術分野】
【０００１】
本発明は、遊技盤に設けられた図柄表示装置の表示画面の周囲に設けられた装飾部材に、ライン状の光を放つ発光表示部を設け、リーチ予告時、リーチ発生時、大当たり予告時、大当たり発生時等に発光表示部を点灯、点滅させて視覚に訴える効果的な演出を行うことができる遊技機に関する。
【背景技術】
【０００２】
一般に近年のパチンコ遊技機は、遊技者が遊技盤下方の発射ハンドルを操作し、発射された遊技球が、遊技盤に設けられた始動入賞口に入賞すると、遊技盤中央部の液晶表示器（ＬＣＤ）やプラズマディスプレイ等からなる図柄表示装置の表示画面に停止表示されている複数の図柄遊技、例えば左右中列の各図柄遊技を変動表示させる。また、始動入賞口への入賞に伴い、始動条件成立時には、主基板（主演算処理装置）において乱数を取得し大当たり抽選が行なわれる。抽選結果が「大当たり」である場合、上記変動を開始した図柄遊技は、リーチ予告演出、リーチ演出、大当たり予告演出などを行い、最終的に大当たり図柄で変動停止させて大当たり演出を行なう。一方、上記抽選結果が「ハズレ」である場合には、リーチ予告演出、リーチ演出を行い、あるいは、これらの演出を行なうことなくハズレ図柄で変動停止させる。そして、大当たり図柄で変動停止した場合には大当たり状態（特別遊技状態）となり、遊技盤の可変入賞装置が所定ラウンド数だけ間欠的に開放されて多数の遊技球が入賞可能となり、多数の賞球が受皿に払い出されて遊技者に特典が与えられる。
【０００３】
このような従来のパチンコ遊技機では、通常、リーチ予告演出、リーチ演出、大当たり予告演出などを行なう際、遊技者の期待感や喜びを高揚させるために、遊技盤の遊技領域に設けた発光装置を点灯、点滅させるようにしている。
しかしながら、単に発光装置を点灯、点滅させるだけの単純な演出に終わり、ダイナミックな演出を行なうことができず、遊技者に対して強いインパクトを与えることはできなかった。
【０００４】
ところで、図柄表示装置の周囲には、図柄表示装置の表示画面を装飾する装飾部材（センター役物とも呼ばれる）が設けられている。この装飾部材には、表示画面を囲むように突出部が設けられており、この突出部に、発光装置を設けて、図柄表示装置の表示画面から突出部の外周側までライン形状をした発光表示部を設け、表示画面上の光のラインと、発光表示部の光のラインとの組み合わせによる光のラインの演出を行い、遊技者に対して強いインパクトを与えるようにした先行技術が知られている（例えば特許文献１）。
【特許文献１】特開２００４−２８３２４６
【発明の開示】
【発明が解決しようとする課題】
【０００５】
一般的に、遊技者が遊技する時には、常に遊技盤の正面を見ているのではなく、首を傾けたり、覗き込んだり、いろいろな姿勢で遊技を行っている。先行技術では、表示画面に表示される内容と発光表示部とが関連しているように表示する構成ではあるが、ライン状の発光表示部は装飾部材の突出部の前面側にのみ設けられていることから、遊技者の姿勢によっては、表示画面と発光表示部の間に装飾部材の突出部における表示画面側の側面部が見えてしまい、かつ、表示画面と発光表示部との間隔が開いてしまい、表示画面の演出と発光表示部の演出との関連性が低くなるように見えてしまうという問題があった。
【０００６】
本発明は、上記課題を解決し、表示画面の演出と発光表示部の演出との関連性を遊技者に伝わり易くすることができ、かつ、表示画面に発光表示部の光が映り込み難くすると共に、光の映り込みによって表示画面が見難くなることを防ぐことができる遊技機を提供することを目的とする。
【課題を解決するための手段】
【０００７】
本発明は、上記課題を解決するため、遊技盤には、図柄遊技の開始のきっかけとなる始動入賞口と、前記図柄遊技を表示するための表示画面を有する図柄表示装置と、前記図柄遊技の結果に応じて遊技者に有利な状況を与える可変入賞装置と、前記表示画面の周囲に配置されるとともに、該表示画面よりも前方側に突出する突出部を有した装飾部材とが設けられ、前記突出部には、発光源とスリットと該スリットを覆う透光性のカバー部材とを有してライン状の光を放つ発光表示部が設けられた遊技機において、
前記スリット及び前記カバー部材を前記突出部の前面部と、前記突出部における前記表示画面側の側面部にそれぞれ設けることで、前記発光表示部のライン状の光を、前記前面部から前記側面部にかけて延在するものとし、前記側面部で前記スリットを覆う前記カバー部材には、前記発光源から前記スリットを経由した光を前記側面部における前記スリットの延在方向と交差する方向へ拡散する拡散レンズ部を形成したことにある。
また、本発明は、前記前面部で前記スリットを覆う前記カバー部材には前記発光源から前記スリットを経由した光を前記前面部における前記スリットの延在方向へ拡散する第２の拡散レンズ部を形成したことにある。
【発明の効果】
【０００８】
請求項１の効果としては、遊技者の姿勢により、表示画面と発光表示部の間に装飾部材の突出部における表示装置側の側面部が見えてしまっても装飾部材の突出部における表示画面側の側面部に発光表示部を設けることにより、装飾部材の突出部に発光表示部が表示されない部分を少なくすることができる。したがって、表示画面の演出と発光表示部の演出との関連性を遊技者に伝わり易くすることができる。
ここで、装飾部材の突出部における表示画面側の側面部に発光表示部を設けることだけでは、発光表示部からの光が表示画面に照射され、表示画面に映りこんでしまうという新たな問題が発生する。そこで、本発明では、装飾部材の突出部における表示画面側の側面部に設けられたスリットとカバー部材から放たれた光が表示画面に直接交わり難くなり、表示画面に発光表示部の光が映り込み難くなることから、光の映り込みによって表示画面が見難くなることを防ぐことができる。
請求項２の効果としては、突出部の前面部に設けられたカバー部材に光をスリットの延在方向に拡散させる第２の拡散部を設けることにより、発光表示部のライン状の光がより延在方向に光っているように遊技者に報知することができると共に、画面に映りこんでしまう位置は映りこまないようにしながらライン状の光を遊技者に的確に報知することができる。
【発明を実施するための最良の形態】
【０００９】
以下、パチンコ遊技機に適用した本発明の実施の形態を、図面を参照しながら詳細に説明する。
【００１０】
図１ないし図１０は、本発明の遊技機であるパチンコ遊技機の実施の形態を示している。
図１は、パチンコ遊技機の遊技盤を示す正面図、図２は、図１のセンター飾りを示す正面図、図３は、図１のセンター飾りのカバー部材を外して示す斜視図、図４は、図３の部分拡大斜視図、図５は、図４の正面図、図６は、図４の装飾部材にカバー部材を装着した状態を示す斜視図、図７は、図５の装飾部材にカバー部材を装着した状態を示す正面図、図８は、図２のＡ−Ａ線断面図、図９は、図６のＢ−Ｂ線断面図、図１０は、図７のＣ−Ｃ線断面図である。
【００１１】
本実施の形態のパチンコ遊技機は、図１に示すように、意匠フィルムが貼着された表面に遊技釘（図示せず）、風車１、図柄遊技の開始のきっかけとなる始動入賞口２、図柄遊技の結果に応じて遊技者に有利な状況を与える可変入賞装置３、アウト口４、誘導レール５などが所定位置に配設された遊技盤６を備えている。この遊技盤６の中央部には、図１に示すような図柄遊技を表示するための表示画面８を有する図柄表示装置（ＬＣＤ）７と、該図柄表示装置７の表示画面８の周囲を装飾する装飾部材１０とが設けられている。
【００１２】
前記装飾部材１０について、図２および図３に基づいて説明する。
前記装飾部材１０には、中央部に四角形状の組付孔１１が形成されており、この組付孔１１には、前記図柄表示装置７の表示画面８が挿入配置されて取付けられている。
前記装飾部材１０には、不透明な樹脂部材等の材料で形成され、表示画面８よりも前方側に突出する略環状の突出部１２が周辺部に設けられており、該突出部１２には、表示画面８側から突出部１２の外周側に向けてライン状の光を放つ発光表示部２０が、突出部１２の円周方向に沿って一定間隔で、放射状に、多数、設けられている。
【００１３】
前記発光表示部２０について、図４ないし図１０に基づいて説明する。
この発光表示部２０は、突出部１２内に配設された発光ダイオード（ＬＥＤ）等の発光源２１と（図５参照）、突出部１２の遊技者側の前面部１２ａおよび表示画面８側の側面部１２ｂに設けられたスリット２２と（図４および図５参照）、前記突出部１２の表面に設けられ、該スリット２２を覆う透光性のカバー部材２３と（図６ないし図８参照）で構成されている。
前記スリット２２は、図４に示すように、互いに連続する前面側スリット２２ａと側面側スリット２２ｂで構成され、前面側スリット２２ａが、突出部１２の前面部１２ａの内周側から外周側にかけて放射状に形成されており、側面側スリット２２ｂが、突出部１２の表示画面８側の側面部１２ｂに、前面側スリット２２ａに連続するようにして、側面部１２ｂの前端側から表示画面８側にかけて形成されている。これら前面側スリット２２ａおよび側面側スリット２２ｂの内側の空洞部に前記発光源２１が配設されており、これら前面側スリット２２ａおよび側面側スリット２２ｂを経由してライン状の光を放つようにしている。
【００１４】
前記カバー部材２３は、前面側スリット２２ａおよび側面側スリット２２ｂを覆うようにして前記突出部１２に装着されたもので、透明または半透明の透光性の樹脂材料で成形されている。このカバー部材２３のうち、突出部１２の側面部１２ｂで、前記側面側スリット２２ｂを覆う側面部カバー部材２３ｂには、前記発光源２１から前記側面側スリット２２ｂを経由した光を前記側面部１２ｂにおける前記側面側スリット２２ｂの延在方向と交差する方向へ拡散する第１の拡散レンズ部２４が形成されている。
また、このカバー部材２３のうち、突出部１２の前面部１２ａで、前記前面側スリット２２ａを覆う前面部カバー部材２３ａには、前記発光源２１から前記前面側スリット２２ａを経由した光を、前記突出部１２の前面部１２ａにおける前記前面側スリット２２ａの延在方向へ拡散する第２の拡散レンズ部２５が設けられている。
【００１５】
前記側面部カバー部材２３ｂに設けられた第１の拡散レンズ部２４は、表面および裏面に、前記側面側スリット２２ｂの延在方向と交差する方向に凹凸状の斜面を有するように連続する多数の断面三角形状のカット部２４ａを成形することによって形成されている（図９参照）。この第１の拡散レンズ部のカット部２４ａは、前記側面側スリット２２ｂの延在方向に沿って、側面部カバー部材２３ｂの全域あるいは一部に設けられている。
なお、前記側面部カバー部材２３ｂに設けられた第１の拡散レンズ部のカット部２４ａは、前記発光源２１から前記側面側スリット２２ｂを経由した光を前記側面側スリット２２ｂの延在方向と交差する方向へ拡散できるものであれば、断面三角形状の他、断面波状、断面台形状、断面四角形状であっても良い。
【００１６】
また、前記前面部カバー部材２３ａに設けられた第２の拡散レンズ部２５は、表面および裏面に、前記前面側スリット２２ａの延在方向に凹凸状の斜面を有するように連続する多数の断面三角形状のカット部２５ａを成形することによって形成されている（図１０参照）。この第２の拡散レンズ部のカット部２５ａは、前面側スリット２２ａの延在方向と交差する方向に沿って前面部カバー部材２３ａの少なくとも前面側スリット２２ａの幅に対応させて設けられている。なお、前記前面部カバー部材２３ａに設けられた第２の拡散レンズ部のカット部２５ａは、前記発光源２１から前記前面部カバー部材２３ａを経由した光を前記前面側スリット２２ａの延在方向へ拡散できるものであれば、断面三角形状の他、断面波状、断面台形状、断面四角形状であっても良い。さらに、スリット２２は、直線状に限らず、曲線状、あるいは蛇行させて形成しても良い。なお、第１および第２の拡散レンズ部２４，２５に形成した、第１および第２の拡散レンズ部のカット部２４ａ，２５ａは、図１１に示すように裏面側のみ、図１２に示すように表面側のみに、形成しても良い。
【００１７】
上記実施の形態のパチンコ遊技機においては、発射ハンドルの操作によって、遊技球が遊技盤６上に発射されると、遊技球の多くは遊技盤６の面上を落下し、一部の遊技球が始動入賞口２に案内される。始動入賞口２に入賞すると、始動入賞口２に設けられたセンサーが作動し、図示しない始動入賞装置が作動を開始する。始動入賞装置の作動によって、図柄表示装置７の表示画面８の変動表示が開始され、発光源２１が点灯・点滅操作される。
発光源２１が点灯・点滅操作されると、発光源２１の光は、前面側スリット２２ａと側面側スリット２２ｂを経由して、前面部カバー部材２３ａの第２の拡散レンズ部２５および側面部カバー部材２３ｂの第１の拡散レンズ部２４に照射される。そして、突出部１２の前面部１２ａと、前記突出部１２における図柄表示装置７の表示画面８側の側面部１２ｂに設けられた発光表示部２０が点灯・点滅する。こうして、発光表示部２０のライン状の光が、前記突出部１２の前面部１２ａから前記側面部１２ｂにかけて延在することになるので、遊技者の姿勢により、図柄表示装置７の表示画面８と発光表示部２０の間に装飾部材１０の表示画面８側の側面部１２ｂが見えてしまっても装飾部材１０の表示画面８側の側面部１２ｂに発光表示部２０を設けているので、側面部１２ｂに表示されない部分を少なくすることができる。こうして、表示画面８上の光のラインと、発光表示部２０の光のラインとの組み合わせによる光のラインの演出を行い、図柄表示装置７の表示画面８の演出と発光表示部２０の演出とが関連性を有するように表示され、遊技者に対して強いインパクトを与えることができる。
【００１８】
そして、前記側面部カバー部材２３ｂに設けられた第１の拡散レンズ部２４に照射された光は、突出部１２の表示画面８側の側面部１２ｂにおける前記側面側スリット２２ｂの延在方向と交差する方向へ拡散される。こうして、側面部カバー部材２３ｂに設けられた第１の拡散レンズ部２４からの光は、図柄表示装置７の表示画面８から反れるように拡散するので、拡散レンズ部２４から放たれた光が表示画面８に直接交わり難くなり、表示画面８に光が映り込み難くなることから表示画面８が見難くなることを防ぐことができる。
【００１９】
一方、前面部カバー部材２３ａの第２の拡散レンズ部２５に照射された光は、前記突出部１２の前面部１２ａにおける前記前面側スリット２２ａの延在方向へ拡散される。
こうして、発光表示部２０のライン状の光が、より前面側スリット２２ａの延在方向に光っているように遊技者に報知することができるので、発光表示部２０の光のラインが表示画面８を強調して遊技者に対して強いインパクトを与えることができる。また、図柄表示装置７の表示画面８に映りこんでしまう位置では、映りこまないようにしながら、発光表示部２０のライン状の光を遊技者に的確に報知することができる。
【００２０】
なお、本発明は、上記実施の形態に限定されるものではなく、例えば、上記実施の形態では、図柄表示装置７の表示画面８の周囲に、突出部１２を有する装飾部材１０を設け、この突出部１２に、ライン状の光を放つ発光表示部２０を、放射状に設けたが、突出部１２の左半分あるいは右半分に設けることもでき、また一部分に設けることもできる。また、上記実施の形態では、側面側スリット２２ｂを、突出部１２の表示画面８側の側面部１２ｂのほぼ奥行き方向全体に配置したが、一部のみに設けても良い。さらに、スリット２２は突出部１２の遊技者側の前面部１２ａおよび表示画面８側の側面部１２ｂに設けたが、突出部１２の外側面側、あるいは突出部１２の外側の装飾部材１０の周縁部にも設けても良い。またさらに、スリット２２は、直線状に限らず、曲線状、あるいは蛇行させて形成しても良い。また、カバー部材２３は、突出部１２のスリット部２２のみを覆うようにしても良く、あるいは突出部１２全体を覆うようにしても良い等、その他、本発明の要旨を変更しない範囲内で適宜、変更して実施し得ることは言うまでもない。
【図面の簡単な説明】
【００２１】
【図１】本発明の実施の形態による遊技機の遊技盤を示す正面図である。
【図２】図１の装飾部材を示す正面図である。
【図３】図１の装飾部材のカバー部材を外して示す斜視図である。
【図４】図３の部分拡大斜視図である。
【図５】図４の正面図である。
【図６】図４の装飾部材の突出部のスリット部にカバー部材を装着した状態を示す斜視図である。
【図７】図５の装飾部材の突出部のスリット部にカバー部材を装着した状態を示す正面図である。
【図８】図２のＡ−Ａ線断面図である。
【図９】図６のＢ−Ｂ線断面図である。
【図１０】図７のＣ−Ｃ線断面図である。
【図１１】カバー部材の変形例を示す断面図である。
【図１２】カバー部材の変形例を示す断面図である。
【符号の説明】
【００２２】
２  始動入賞口
３  可変入賞装置
６  遊技盤
７  図柄表示装置
８  表示画面
１０  装飾部材
１２  突出部
２０  発光表示部
２１  発光源
２２  スリット
２２ａ  前面側スリット
２２ｂ  側面側スリット
２３  カバー部材
２３ａ  前面部カバー部材
２３ｂ  側面部カバー部材
２４  第１の拡散レンズ部
２４ａ  第１の拡散レンズ部のカット部
２５  第２の拡散レンズ部
２５ａ  第２の拡散レンズ部のカット部
【図１】
0004826945.tif 000002
【図２】
0004826945.tif 000003
【図３】
0004826945.tif 000004
【図４】
0004826945.tif 000005
【図５】
0004826945.tif 000006
【図６】
0004826945.tif 000007
【図７】
0004826945.tif 000008
【図８】
0004826945.tif 000009
【図９】
0004826945.tif 000010
【図１０】
0004826945.tif 000011
【図１１】
0004826945.tif 000012
【図１２】
0004826945.tif 000013